(57)【要約】      （修正有）【課題】時計・装飾用品のバンドにおいて、確実かつ強固に、歩留りのよい組立が行え、かつ低コストで製造可能な中留具における箱状部材を提供する。【解決手段】凹状枠部材６の受溝６ｃに平板状部材７の突出部７ｂを嵌着させることにより、凹状枠部材６の底部に平板状部材７を位置決めする。その後、平板状部材７の側部の受部７ａに凹状枠部材６の突片部６ｂを折り曲げることにより、凹状枠部材６と平板状部材７とを係合させることにより、両部材６，７を一体化させる。【選択図】図２
0003149044.tif 000002
【実用新案登録請求の範囲】
【請求項１】
バンドに設けられる中留具における箱状部材であって、
凹状枠部材と平板状部材とからなり、前記凹状枠部材における垂下壁部の長手方向両側に折り曲げ可能な突片部を複数形成し、前記平板状部材における長手方向両側に前記突片部を受ける受部を形成し、さらに前記凹状枠部材における一方側の前記突片部間に受溝を形成し、前記平板状部材に前記受溝に装着される突出部を形成したことを特徴とする中留具における箱状部材。
【請求項２】
前記凹状枠部材と前記平板状部材とを組み付けて構成される空間部に、中留具ロック用部材を設けたことを特徴とする請求項１記載の中留具における箱状部材。
【考案の詳細な説明】
【技術分野】
【０００１】  本考案は、時計バンドや装飾品用のバンドに適用され、一対のバンド端部を連結する中留具に係り、特に、その中留具を構成する箱状部材に関するものである。
【背景技術】
【０００２】  時計バンドにおいては、バンド本体が伸縮性を有する構造以外のものでは、一対のバンド本体の連結端部に中留具を設け、バンド本体を手首などから外すときに中留具の係合を解除する構造のものが多い。【０００３】  時計バンドの中留具として、観音開き式構造のものが、一対のバンド本体を完全に分離して、装着されている手首などから簡単に脱落せず、しかも、一対のバンド本体の間隔を大きく広げられることから手首などに対する装着および取り外しが容易になるため多用されている。【０００４】  さらに、観音開き式中留具は、外観上の連結状態が他の中留具よりも優れており、高級感のある中留具として用いられている。【０００５】  さらに近年では、観音開き式中留具の部品をセラミックス材にて一体成型したものが用いられている（例えば、特許文献１参照）。【０００６】  特に、一体成型した箱状の部品は、多部材からなるものに比して接合部がなく、接合部のロー付けを不要にし、当該部位からの腐食の発生を防止することができる。しかも、部品全体として無垢状のものとなるため、より高級感を増加させることができる。【０００７】  しかしながら、セラミック製のものは型製作代を含めて製造コストが高いという問題がある。
【特許文献１】特開２００４−１８７７５２号公報
【特許文献２】実用新案登録第３０８５６２１号公報
【考案の開示】
【考案が解決しようとする課題】
【０００８】  そこで、本件出願人は、複雑な形状であっても一体成型が可能であって、かつ型コストが比較的安価な方法として、金属粉末射出成型法であるＭＩＭ（Ｍｅｔａｌ  Ｉｎｊｅｃｔｉｏｎ  Ｍｏｌｄｉｎｇ）を採用し、金属粉を用いて中留具の構成部品の製造を試みた。【０００９】  しかし、ＭＩＭによる部品成型は、成型部品の鏡面仕上げが著しく低下することが分かった。このため表面品位が要求される高級バンド類などにおける部品の成型には適しない。
また、実使用上、金型代が非常に高い点も課題である。【００１０】  良好な鏡面仕上げがなされるための最も一般的で簡易な方法としては、光沢を呈する金属板材をそのまま使用することが考えられる。例えば、所望の形状の部品をいくつかの金属部分に分割して、それらの金属部分を接合したり、嵌め合わせたりして、部品製造することがコスト面からも有利である。【００１１】  しかし、金属部品をロー付して接合する場合にはロー付作業を伴い、小型な部品になればなる程、細かな作業を伴うため作業性が低下する。しかも、ロー付部分における耐食性に問題がある。【００１２】  そこで、ロー付を行わず、所望の形状の部品をいくつかの部分に分割して、板状の金属材を嵌め合わせることも考えられる。【００１３】  例えば、特許文献２には、バンドにおける箱状の駒部品を、上箱と下箱とから構成し、それらの側壁を、各側壁に形成した爪片と切り込み部とを係合させることによって一体化させる構成が記載されている。【００１４】  このように金属板材を嵌め合わせて係合させる場合、各部の嵌め合わせが強固でないと、後で嵌合が外れたり、あるいは位置ずれが生じたりする。さらに、組立時に各部を正確に位置決めして係合させないと、その時点で位置ずれ不良となってしまう。【００１５】  そこで本考案は、確実かつ強固に、歩留りのよい組立が行え、しかも製造コストが安く、中留具における箱状部材を提供することを目的とする。
【課題を解決するための手段】
【００１６】  前記目的を達成するため、本考案は、バンドに設けられる中留具における箱状部材であって、凹状枠部材と平板状部材とからなり、前記凹状枠部材における垂下壁部の長手方向両側に折り曲げ可能な突片部を複数形成し、前記平板状部材における長手方向両側に前記突片部を受ける受部を形成し、さらに前記凹状枠部材における一方側の前記突片部間に受溝を形成し、前記平板状部材に前記受溝に装着される突出部を形成したことを特徴とする。【００１７】  前記構造により、平板状部材の突出部を凹状枠部材の受溝に装着して、両部材を位置決め／位置規制しながら、凹状枠部材の突片部を平板状部材の受部に合わせて折り曲げることにより、両部材を確実かつ強固に一体化することができる。【００１８】  なお、前記凹状枠部材と前記平板状部材とを組み付けて構成される空間部に、中留具ロック用部材を設けることにより、当該箱状部材をバンド類の中留具として用いることができる。
【考案の効果】
【００１９】  本考案の構造では、平板状部材と凹状枠部材とを嵌合させて、バンドに設けられる中留具における箱状部材を、確実かつ強固に、かつ容易に製造することができる。しかも、鏡面仕上げの良好な各種の金属板を使用して、中留具における箱状部材を製造することが可能であって、高級感のある中留具の部品を安価に製造することができる。【００２０】  特に、本構造は、バンド類の観音開き式中留具において使用される中空の箱状部材に実施して実際上の効果がある。
【考案を実施するための最良の形態】
【００２１】  以下に本考案の好適な実施形態を図面にて説明する。【００２２】  図１は本考案の実施形態を説明するための時計バンドに使用される観音開き式中留具の全体斜視図、図２は本実施形態における中留具のブロック体の組み付け状態を示す側面図、図３は本実施形態の中留具におけるブロック体を分解して示す側面図、図４は図１の観音開き式中留具におけるブロック体部分の要部を底面側から示す斜視図である。【００２３】  １は、中央部に収納溝１ａが形成され、全体として湾曲しているベース板部材、２はベース部材１の収納溝１ａに設けられている折り畳み板、３，３は一対のバンド本体（図示せず）の端部にそれぞれ連結される連結部材、４は一方の連結部材３に固定された箱状部材である中空のブロック体、５，５は、ブロック体４に出没自在に設けられ、中留具ロック用部材としてのロック片である。【００２４】  図２，図３に示すように、前記ブロック体４は、凹状枠部材６と平板状部材７とからなる。凹状枠部材６は、その垂下壁部６ａの長手方向両側に、折り曲げ可能な薄肉の突片部６ｂが複数形成されている。また、平板状部材７は、その長手方向両側に前記突片部６ｂを受ける受部７ａが段差を有して形成されている。【００２５】  さらに、凹状枠部材６における一方側の突片部６ｂ間に受溝６ｃが形成され、この受溝６ｃに嵌合して装着される突出部７ｂが平板状部材７に形成されている。【００２６】  前記ロック片５による連結部材３，３の連結・解除は公知の動作と同様であって、一対のロック片５をブロック体４の内方へ押圧することにより、連結部材３，３の連結を解除して中留具を開くことができる。また、図１に示す状態において、ロック片５が図示しないスプリングなどからなる弾性部材にてブロック体４の外方へ付勢され、この状態にて連結部材３，３の連結を維持する構造になっている。【００２７】  図２，図３を参照して本実施形態のブロック体の組立について説明する。【００２８】  凹状枠部材６の受溝６ｃに平板状部材７の突出部７ｂを嵌着させるようにして、凹状枠部材６の底部に平板状部材７を装着する。これにより凹状枠部材６と平板状部材７とが位置決めされる。その後、平板状部材７の側部の受部７ａに、凹状枠部材６の突片部６ｂを折り曲げて係合させることにより、凹状枠部材６と平板状部材７とを固定する。【００２９】  このように本実施形態では、ブロック体４を、凹状枠部材６と平板状部材７とを位置決め、かつ位置規制しながら、凹状枠部材６の突片部６ｂを平板状部材７の受部７ａに折り曲げることにより、両部材６，７を、確実かつ強固に一体化することができ、しかも容易に組み付けることができる。【００３０】  このように、凹状枠部材６と平板状部材７の材料に、鏡面仕上げの良好な金属平板を使用して、中留具における箱状部材を製造することが可能になり、よって、光沢性に優れた高級感のある中留具の部品を安価に製造することができる。
【産業上の利用可能性】
【００３１】  本考案は、バンド類に設けられる中留具を構成する箱状部材に適用され、特に、観音開き式中留具を構成する中空の箱状部材に実施して有効である。
【図面の簡単な説明】
【００３２】
【図１】本考案の実施形態を説明するための時計バンドに使用される観音開き式中留具の全体斜視図である。
【図２】本実施形態における中留具のブロック体の組み付け状態を示す側面図である。
【図３】本実施形態の中留具におけるブロック体を分解して示す側面図である。
【図４】本実施形態の観音開き式中留具におけるブロック体部分の要部を底面側から示す斜視図である。
【符号の説明】
【００３３】４  ブロック体
５  ロック片
６  凹状枠部材
６ａ  垂下壁部
６ｂ  突片部
６ｃ  受溝
７  平板状部材
７ａ  受部
７ｂ  突出部
【図１】
0003149044.tif 000003
【図２】
0003149044.tif 000004
【図３】
0003149044.tif 000005
【図４】
0003149044.tif 000006